(57)【特許請求の範囲】
【請求項１】
食器等が載置される本体の上部に、枢支軸に枢支部を回動自在に枢支され、前記本体に対して回動しない固定蓋と回動する第１の蓋体と当該第１の蓋体と固定蓋との間に位置する第２の蓋体とで構成された透明な合成樹脂製の蓋体を設け、前記固定蓋及び前記第１の蓋体及び前記第２の蓋体と、前記本体と、の間に食器を乾燥させる乾燥室が形成された食器乾燥機において、
前記固定蓋の枢支部と前記第２の蓋体の枢支部との間には、前記固定蓋、第１の蓋体及び第２の蓋体とは別体の樹脂製よりなり、弾性を有したブレーキ板が回動自在に挟持され、
前記固定蓋の枢支部には枢支軸の中心に向かって突部が形成され、
前記ブレーキ板は、前記突部と前記枢支軸との間に、前記突部に弾圧される円弧状の弾性片を有し、
前記第２の蓋体の枢支部には、同一円周上に長穴と、係止穴が形成され、前記ブレーキ板の第２の蓋体側には第２の蓋体の長穴を貫通する連結突起と、前記第２の蓋体の係止穴に係止する係止突起が形成され、
前記第１の蓋体には、前記第２の蓋体の長穴を介して前記ブレーキ板の連結突起が嵌合される嵌合穴が形成され、前記ブレーキ板の回転と共に前記第１の蓋体も回転し、
前記第１の蓋体の全開時と全閉時以外では、前記ブレーキ板の弾性片が前記固定蓋の突部により押圧されることにより弾圧状態になり、全開時と全閉時には前記弾圧状態が解除されることを特徴とする食器乾燥機。
【請求項２】
前記弾性片には、前記第１の蓋体及び前記第２の蓋体の全開時又は全閉時に前記突部との弾圧状態を解除して係止される係止凹部が形成されていることを特徴とする請求項１に記載の食器乾燥機。
【請求項３】
前記ブレーキ板は、前記第１の蓋体及び前記第２の蓋体の全閉時に前記第２の蓋体に係止され、前記第２の蓋体が全開状態で前記第１の蓋体を開く方向に回動させることで係止状態が解除される係止部を形成したことを特徴とする請求項１乃至請求項２のいずれかに記載の食器乾燥機。
【請求項４】
前記係止部を、前記長穴に挿入可能な前記係止突起を有する係止片で構成し、該係止片を前記長穴と同一円周に設け、前記蓋体の全開時に前記係止突起が長穴に挿入されるようにしたことを特徴とする請求項３に記載の食器乾燥機。
【発明の詳細な説明】
【０００１】
【発明の属する技術分野】
本発明は、食器類を乾燥させる食器乾燥機の特にその蓋体の構成に関する。
【０００２】
【従来の技術】
従来の食器乾燥機として実公平２−６９０９号公報に、本体上部に設けられて本体との間に食器を乾燥させる乾燥室を形成する蓋体を、枢支軸に回動自在に枢支され、本体に対して回動しない１枚の固定蓋と、回動する２枚の回動蓋で構成し、この２枚の回動蓋体の枢支部間に、両端を係合して離反する方向に付勢するバネを設けたものが知られている。
【０００３】
この食器乾燥機は、閉時に本体に当接する一方の回動蓋の操作により、前記バネを介して他方の回動蓋を回動させ、他方の回動蓋が全開した後はバネに抗して回動し、前記一方の回動蓋が本体に勢いよく当たらないようにしている。
【０００４】
しかしながら、回動蓋の閉時に誤って前記一方の回動蓋から手が離れると勢いよく本体に向かって落下し、本体に衝突した際に欠けたりひびが入ったりして破損する恐れがあった。
【０００５】
【発明が解決しようとする課題】
本発明は、回動蓋を開け閉めする際に誤って手を離しても勢いよく本体に衝突するのを防止できる食器乾燥機を提供することを課題とする。
【０００６】
請求項１に記載の発明は、食器等が載置される本体の上部に、枢支軸に枢支部を回動自在に枢支され、前記本体に対して回動しない固定蓋と回動する第１の蓋体と当該第１の蓋体と固定蓋との間に位置する第２の蓋体とで構成された透明な合成樹脂製の蓋体を設け、前記固定蓋及び前記第１の蓋体及び前記第２の蓋体と、前記本体と、の間に食器を乾燥させる乾燥室が形成された食器乾燥機において、前記固定蓋の枢支部と前記第２の蓋体の枢支部との間には、前記固定蓋、第１の蓋体及び第２の蓋体とは別体の樹脂製よりなり、弾性を有したブレーキ板が回動自在に挟持され、前記固定蓋の枢支部には枢支軸の中心に向かって突部が形成され、前記ブレーキ板は、前記突部と前記枢支軸との間に、前記突部に弾圧される円弧状の弾性片を有し、前記第２の蓋体の枢支部には、同一円周上に長穴と、係止穴が形成され、前記ブレーキ板の第２の蓋体側には第２の蓋体の長穴を貫通する連結突起と、前記第２の蓋体の係止穴に係止する係止突起が形成され、前記第１の蓋体には、前記第２の蓋体の長穴を介して前記ブレーキ板の連結突起が嵌合される嵌合穴が形成され、前記ブレーキ板の回転と共に前記第１の蓋体も回転し、前記第１の蓋体の全開時と全閉時以外では、前記ブレーキ板の弾性片が前記固定蓋の突部により押圧されることにより弾圧状態になり、全開時と全閉時には前記弾圧状態が解除されることを特徴とする。
【０００７】
請求項２に記載の発明は、請求項１に記載の食器乾燥機であり、前記弾性片には、前記第１の蓋体及び前記第２の蓋体の全開時又は全閉時に前記突部との弾圧状態を解除して係止される係止凹部が形成されていることを特徴とする。
【０００８】
請求項３に記載の発明は、請求項１乃至請求項２のいずれかに記載の食器乾燥機であり、前記ブレーキ板は、前記第１の蓋体及び前記第２の蓋体の全閉時に前記第２の蓋体に係止され、前記第２の蓋体が全開状態で前記第１の蓋体を開く方向に回動させることで係止状態が解除される係止部を形成したことを特徴とする。
【０００９】
請求項４に記載の発明は、請求項３に記載の食器乾燥機であり、前記係止部を、前記長穴に挿入可能な前記係止突起を有する係止片で構成し、該係止片を前記長穴と同一円周に設け、前記蓋体の全開時に前記係止突起が長穴に挿入されるようにしたことを特徴とする。
【００１２】
【発明の実施の形態】
本発明の実施の形態を図１乃至図１１に示し、以下、これらの図に基づき説明する。
【００１３】
１は略方形状に形成された合成樹脂製の本体で、内部には、ヒータと送風機（いずれも図示せず）とからなる温風発生器を内蔵し、図１に示すように正面には温風発生器を操作する操作部２が設けられている。この本体１の背面１ｂ側には、前記温風発生器による温風が吹き出される吹出口３が形成されており、この吹出口３から吹き出された温風により食器を乾燥させる。
【００１４】
４は載置される食器かごで、鋼線を折曲して矩形に形成し、上部開口を形成する主枠５と、この主枠５に複数のコ字状の鋼線を格子状に配設して形成した外枠６とで構成され、食器を収納する凹状の収納部が形成されている。
【００１５】
７は本体１の上部に食器かご４を覆うように設けられた透明な合成樹脂製の蓋体で、本体１との間に乾燥室８を形成する。この蓋体７は、図２に示すように本体１の背面１ｂ側に設けられ、回動しない固定蓋１０と、本体に当接して正面１ａ側を覆う第１の蓋体１１と、第１の蓋体１１と固定蓋１０との間を覆う第２の蓋体１２から構成されており、これら固定蓋１０、第１の蓋体１１、第２の蓋体１２は側面形状が扇形で、断面コ字状に形成されている。また、固定蓋１０、第１の蓋体１１、第２の蓋体１２の扇形の面の端部には、重合する側に爪片１３、１４、１５、１６が形成され、固定蓋１０の爪片１３に第２の蓋体１２の固定蓋１０側の爪片１４が引っかかると共に第１の蓋体１１側の第２の蓋体１２の爪片１５が第１の蓋体１１の爪片１６に引っかかるようになっている。
【００１６】
これら固定蓋１０と第１の蓋体１１と第２の蓋体１２との左右両側には枢支部１７、１８、１９（図２）がそれぞれ形成されていおり、キャップ２０に形成された枢支軸２１に回動自在に枢支される。これにより、第１の蓋体１１と第２の蓋体１２が本体１に対して回動可能となっている。
【００１７】
最も外側に位置する第１の蓋体１１の枢支部１８は外方からキャップ２０で覆われると共に、後述する連結突起２８が嵌合される嵌合穴２２が形成されている。
【００１８】
また、この枢支部１８の内側に位置する第２の蓋体１２の枢支部１９には、同一円周上に前記嵌合穴２２の直径より幅が広い長穴２３が形成されている。この長穴２３の近傍には、図８に示すように同一円周上で、長穴２３に対して第１の蓋体１１を閉じる方向側に長穴２３の幅よりやや小さな直径の係止穴２４が形成されている。
【００１９】
最内に位置する固定蓋１０の枢支部１７には枢支軸２１に向かって突出する突部２５、２６が２カ所に形成されている。この２つの突部２５、２６は同一円周上に一方の突部２５から第１の蓋体１１の全閉から全開までの回動角度だけずらして形成されており、後述する係止凹部３３が第１の蓋体１１の全閉時に一方の突部２５に、全開時に他方の突部２６に係止するようになっている。
【００２０】
前記固定蓋１０の枢支部１７と第２の蓋体１２の枢支部１９との間には、固定蓋１０の枢支部１７に枢支された樹脂製のブレーキ板２７が回動自在に挟持されている。このブレーキ板２７の第１の蓋体１１側には第２の蓋体１２の長穴２３を貫通して第１の蓋体１１の嵌合穴２２に嵌合される連結突起２８が形成されており、ブレーキ板２７が第１の蓋体１１と共に回転するようにしている。また、この連結突起２８が長穴２３に沿って移動可能なことから、第２の蓋体１２に対して第１の蓋体１１が回動可能となっている。
【００２１】
このブレーキ板２７には、先端に球状の係止突起２９が形成された係止片３０がＵ字状の切り欠き３１により形成されており、切り欠き３１により固定蓋１０側に容易に変形するようにしている。
【００２２】
また、ブレーキ板２７の固定蓋１０側には、突部２５、２６と枢支軸２１との間に位置して円弧状の弾性片３２が形成されており、この略中央に係止凹部３３が形成されている。この弾性片３２は、係止凹部３３側が最も突部２５、２６側に位置するように、枢支軸２１に対して突部２５、２６側に偏心している。これにより、蓋体７の全閉又は全開時以外に前記突部２５又は突部２６に弾圧すると共に、蓋体７の全閉時に係止凹部３３が一方の突部２５に、全開時に他方の突部２６に突部２６と弾性片３２との弾圧状態を解除して係止されるようになっている。
【００２３】
上記構成の食器乾燥機は、食器を出し入れする際に、図２に示すように全閉状態の第１の蓋体１１を手でもって背面１ｂ側に回動させると、第１の蓋体１１と一体に回転するブレーキ板２７に形成された係止片３０により、第２の蓋体１２が第１の蓋体１１と共に回動する。弾性片３２の係止凹部３３は一方の突部２５から外れ、弾性片３２は突部２５により枢支軸２１側に変形され、弾性片３２と突部２５とが弾圧状態となる。そして、第１の蓋体１１の回動と共に弾性片３２が回動し、突部２５と弾性片３２との弾圧位置が弾性片３２の一端３２ａ側に移動する。第２の蓋体１２が全開状態付近まで開くと一方の突部２５が弾性片３２の一端３２ａ側に位置し、弾性片３２の他端３２ｂ側に他方の突部２６が近づき、第２の蓋体１２の全開状態では図７に示すように両方の突部２５、２６が弾性片３２を弾圧するようになる。
【００２４】
図６に示すように第２の蓋体１２が全開状態に達し、更に第１の蓋体１１を回動させると、図８に示すように係止片３０が係止穴２４に係止した状態から、回動させる力により係止片３０が内方に変形して係止状態が解除され、第１の蓋体１１のみが回動する。この係止片３０は第２の蓋体１２の枢支部１９の側面に係止突起２９を当接して内方に変形した後、係止突起２９が長穴２３に挿入され、変形状態が解除され、ほぼ無負荷状態となって移動する。弾性片３２は一方の突部２５との弾圧位置が一端３２ａ側に移動し、この突部２５が弾性片３２から外れる一方、他方の突部２６の弾圧位置が係止凹部３３側に移動する。
【００２５】
図９に示すように第１の蓋体１１が全開状態となると係止凹部３３が突部２６に係止され全開状態が保持されると共に、突部２６に弾圧していた弾性片３２の弾圧状態が解除される。この際に係止片３０は係止突起２９が長穴２３内に位置し、内方への変形状態が解除され、ほぼ無負荷状態となっている。
【００２６】
食器等を出し入れした後蓋体を閉じる場合には、図９の蓋体７の全開状態から第１の蓋体１１を手でもって前方に回動させる。第１の蓋体１１の回動により弾性片３２が回転し、係止凹部３３が他方の突部２６から外れ、弾性片３２が突部２６に弾圧状態になって第１の蓋体１１のみが回動する。弾性片３２と他方の突部２６との弾圧位置は弾性片３２の他端３２ｂ側に移動し、一方の突部２５が弾性片３２の一端３２ａ側に近づき、図６の状態では図７に示すように両方の突部２５、２６が弾性片３２に弾圧される。
【００２７】
係止片３０の係止突起２９は図６の状態で図８に示すように第２の蓋体１２の係止穴２４に係止され、第２の蓋体１２が第１の蓋体１１と共に回動するようになる。この際、勢いよく締めて係止片３０が係止穴２４の長穴２３とは反対側に外れようとしても、第１の蓋体１１の爪片１６が第２の蓋体１２の爪片１５に引っかかって確実に回動する。
【００２８】
そして、第１の蓋体１１と第２の蓋体１２が一緒に回動すると、他方の突部２６弾性片から外れ、一方の突部２５と弾性片３２との弾圧位置が係止凹部３３側に移動する。図３に示すように乾燥室８が閉成されると、係止凹部３３が突部２５に係止され、蓋体７の閉成状態が維持されると共に、弾圧していた突部２５が係止凹部３３に係止され、弾性片３２の弾圧状態が解除される。
【００２９】
この際、第２の蓋体の固定蓋１０側の爪片１４は固定蓋１０の爪片１３に近接しており、第２の蓋体１２が、前方側に更に回動しようとしても、前記第２の蓋体１２の爪片１４が固定蓋１０の爪片１３に引っかかって回動するのを防止されている。
【００３０】
上述の如く、第１の蓋体１１を開閉する際に、第１の蓋体１１の全閉時と全開時以外において弾性片３２を突部２５、２６に弾圧したことで、第１の蓋体１１と固定蓋１０との間にブレーキが利いた状態となるので、誤って手を離しても第１の蓋体１１が勢いよく本体１側に落下して衝突するのを防止でき、第１の蓋体１１が破損するのを防止できる。
【００３１】
また、よく使われる状態である第１の蓋体１１の全開時と全閉時において、弾性片３２に形成した係止凹部３３と突部２５または突部２６を係止したことで、この状態を確実に維持することができる。
【００３２】
この際に弾圧状態を解除して係止したことで、弾性片３２に長時間負荷がかかったり、負荷がかかった状態で食器を乾燥させる熱により温度が上がったりして、使用しているうちに弾性片３２の弾性が失われるのを防止でき、蓋体７の破損をより確実に防止することができる。
【００３３】
また、突部２５、２６の形成された固定蓋１０の枢支部１７と第２の蓋体１２の枢支部１９との間に、弾性片３２の形成された円板状のブレーキ板２７を設け、ブレーキ板２７と第１の蓋体１１とを連結する連結突起２８を、第２の蓋体１２の枢支部１９に形成した長穴２３内を移動可能としたことで、第１の蓋体１１の枢支部１８と固定蓋１０の枢支部１７との間に第２の蓋体１２の枢支部１９が位置しても、第１の蓋体１１を、固定蓋１０との間にブレーキが利いた状態で回動できると共に、第２の蓋体１２が全開した後も第１の蓋体１１を開くことができる。また、弾性片３２を、第１の蓋体１１とは別体のブレーキ板２７に形成したことで、蓋体７と同じ材質にする必要がなく、弾圧するのに適した材料を自由に選択することができる。
【００３４】
また、ブレーキ板２７に第１の蓋体１１が全閉時に第２の蓋体１２の係止穴２４に係止される係止片３０を形成したことで、第１の蓋体１１の回動と共に第２の蓋体１２を確実に回動でき、使い勝手を向上できる。この係止片３０は弾性片３２が形成された樹脂製のブレーキ板２７に形成したことで、別途設ける必要がなく、部品点数を削減できる。
【００３５】
また、係止片３０の係止突起２９を第１の蓋体１１の全開時に、第２の蓋体１２の長穴２３内に位置させたことで、この際に係止片３０が固定蓋１０側に変形した状態ではなく、ほぼ無負荷状態とすることができ、使用していくうちに係止片３０の弾性が失われるのを防止することができる。
【００３６】
尚、上記実施の形態では、第１の蓋体１１と共に回動するブレーキ板２７に弾性片３２を形成し、固定蓋１０の突部２５、２６を弾圧するようにしたが、固定蓋１０に弾性片３２を形成し、ブレーキ板に形成した突部を弾性片に弾圧してもよい。
【００３７】
また、弾性片３２に係止凹部３３を形成し、固定蓋１０に係止凹部３３に係止される突部２５、２６を形成したが、弾性片に突部を形成し、固定蓋にこの突部が係止される係止凹部を形成してもよい。
【００３８】
また、蓋体７を、回動する第１の蓋体１１と第２の蓋体１２と、回動しない固定蓋１０の３枚蓋で構成し、第１の蓋体１１と共に回転する弾性片３２に固定蓋１０に設けた突部２５、２６を弾圧したが、回動する１枚の蓋体と固定蓋の２枚蓋で構成し、回動する蓋体に弾性片を、固定蓋に弾圧する突部を形成してもよい。
【００３９】
本発明の請求項１によれば、蓋体の開閉時に回動する蓋体と固定蓋との間に常時ブレーキが利いた状態で回動できるので、回動する蓋体から誤って手を離しても、回動する蓋体が勢いよく落下して本体に衝突するのを防止でき、蓋体の損傷を防止することができる。よく使われる蓋体の全閉又は全開状態において弾性片の弾圧状態を解除することで、長時間弾性片が変形状態におかれるのを防止でき、弾性片の弾性が失われるのを防止できる。また、蓋体よりも別体で樹脂製の弾性片を用いることにより、弾圧するのに適した材料を自由に選択することができる。
【００４０】
本発明の請求項２によれば、蓋体の開閉時に、円弧状の弾性片を突部に常時弾圧し、常時ブレーキが利いた状態で回動できるので、回動する蓋体から誤って手を離しても、回動する蓋体が勢いよく落下して本体に衝突するのを防止でき、蓋体の損傷を防止することができる。
【００４１】
本発明の請求項３によれば、よく使われる蓋体の全閉又は全開状態において弾性片の弾圧状態を解除するができ、長時間弾性片が変形状態におかれるのを防止でき、弾性片の弾性が失われるのを防止できるとともに、蓋体の全開又全閉の状態を確実に維持することができる。
【００４２】
本発明の請求項４によれば、第１の蓋体の枢支部と固定蓋の枢支部との間に第２の蓋体の枢支部が位置しても、第１の蓋体を、固定蓋との間にブレーキが利いた状態で回動できると共に、第２の蓋体が全開した後も第１の蓋体を開くことができ、開閉面積を広くすることができるので、食器等の取り出しが容易になり、使い勝手を向上できる。左右両側の枢支部にブレーキ板があるため、安定して蓋の開閉をすることができる。また、弾性片を、第１の蓋体とは別体のブレーキ板に形成したことで、蓋体と同じ材質にする必要がなく、弾圧するのに適した材料をより自由に選択することができる。
【００４３】
本発明の請求項５によれば、第１の蓋体の回動と共に第２の蓋体を確実に回動でき、使い勝手を向上できる。この係止片は弾性片が形成された樹脂製のブレーキ板に形成したことで、別途設ける必要がなく、部品点数を削減でき、コストを低減できる。
【００４４】
本発明の請求項６によれば、係止片が固定蓋側に変形した状態ではなく、ほぼ無負荷状態とすることができ、使用していくうちに係止片の弾性が失われるのを防止することができ、時間が経過しても第２の蓋体に確実に係止できる。
【図面の簡単な説明】
【図１】本発明の実施の形態を示す食器乾燥機の蓋体を開けた状態での正面図である。
【図２】同食器乾燥機の側面断面図である。
【図３】同食器乾燥機の枢支部にける断面図である。
【図４】同食器乾燥機の枢支部において係止片と中心を通る面で切断した断面図である。
【図５】図２における枢支部近傍を、第１の蓋体と第２の蓋体を省略し、外側からみた拡大図である。
【図６】同食器乾燥機の第１の蓋体を回動させ、第２の蓋体が全開した状態での側面断面図である。
【図７】図６における枢支部近傍を、第１の蓋体と第２の蓋体を省略し、外側からみた拡大図である。
【図８】図６における枢支部近傍を、第１の蓋体を省略し、外側からみた拡大図である。
【図９】同食器乾燥機の第１と第２の蓋体を全開にした状態の側面断面図である。
【図１０】図９における枢支部近傍を、第１の蓋体と第２の蓋体を省略し、外側からみた拡大図である。
【図１１】図９における枢支部近傍を、第１の蓋体を省略し、外側からみた拡大図である。
【符号の説明】
１            本体
８            乾燥室
１０            固定蓋
１１            第１の蓋体
１２            第２の蓋体
１７            固定蓋の枢支部
１８            第１の蓋体の枢支部
１９            第２の蓋体の枢支部
２１            枢支軸
２３            長穴
２５、２６      突部
２７            ブレーキ板
２８            連結突起
２９            係止突起
３０            係止片
３２            弾性片
３３            係止凹部
【図１】
0004493179.tif 000002
【図２】
0004493179.tif 000003
【図３】
0004493179.tif 000004
【図４】
0004493179.tif 000005
【図５】
0004493179.tif 000006
【図６】
0004493179.tif 000007
【図７】
0004493179.tif 000008
【図８】
0004493179.tif 000009
【図９】
0004493179.tif 000010
【図１０】
0004493179.tif 000011
【図１１】
0004493179.tif 000012